(57)【要約】【課題】電子装置を安定稼働させることができるカバーおよび電子装置を提供する。【解決手段】シート部材２の鉛直下方側の端部を電子装置５の背面に密着させる第１の部材３を設ける。これにより、電子装置５からの排気がカバー１と電子装置５の隙間から漏れることを防ぐことができるので、電子装置５を効果的に冷却することができ、結果として、電子装置５を安定稼働させることができる。【選択図】  図１
2014067152.tif 000002
【特許請求の範囲】
【請求項１】
シート状の部材から構成され、排気口が設けられた筺状の電子装置の背面に設けられ、鉛直上方に開口を有するシート部材と、
前記背面に設けられ、前記シート部材の鉛直下方側の端部を前記電子装置に密着させる第１の部材と
を備えることを特徴とするカバー。
【請求項２】
請求項１記載のカバーにおいて、
前記シート部材は、
平面視略矩形のシート状に形成され、排気口が設けられた筺状の電子装置の背面に前記排気口を挟むように両短側部が取り付けられた第１のシート部材と、
シート状に形成され、縁部の一部が、前記電子装置に取り付けられた前記第１のシート部材の一方の長側部と前記背面により形成される開口近傍における前記背面に取り付けられた第２のシート部材と
から構成され、
前記第１の部材は、第２のシート部材の前記縁部の一部を前記電子装置の背面に挟着し、
前記第１のシート部材の前記一方の長側部と、前記第２のシート部材の前記縁部の一部を除く部分とを接合する第２の部材をさらに備える
ことを特徴とするカバー。
【請求項３】
請求項１または２記載のカバーにおいて、
前記第２の部材は、発泡ポリエチレンから構成される
ことを特徴とするカバー。
【請求項４】
排気口が背面に設けられた筺状の電子装置であって、
シート状の部材から構成され、前記背面に設けられ、鉛直上方に開口を有するシート部材と、
前記背面に設けられ、前記シート部材の鉛直下方側の端部を前記電子装置に密着させる第１の部材と
を備えることを特徴とする電子装置。
【発明の詳細な説明】
【技術分野】
【０００１】
本発明は、データセンタやマシン室に設けられる電子装置に関するものである。
【背景技術】
【０００２】
従来より、データセンタやマシン室には、サーバやルータなどの電子装置が同一空間内に多数設置されている。それらの電子装置は、大量の熱を発生させるので、この熱によって電子装置に障害が発生するのを防ぐために、データセンタ等には空調機が設けられている。この空調機としては、電算室の床の下面側から冷気を供給し、電算室の天井部から暖気を排出するものが一般的である。また、その電子装置は、ＩＣＴ（ＩＣＴ：Information and Communication Technology）ラック内に組み込まれたものが多い。この場合、冷却用の空気はラックの前面から給気され、背面から排気されることになる。
【０００３】
このようなデータセンタのうち、過去に設計されたものには、図８，図９に示すように、複数列からなるラック１００群を設け、隣り合う列で対向するラック１０１間で、吸気口が設けられた前面と排気口が設けられた背面とを対向配置させたものがある（例えば、特許文献１参照。）。このような配置とすると、前列のラック１０１の背面から排出される暖気を、後列のラック１０１が吸い込むので、後列のラック１０１に組み込まれた電子装置が高温となったり、給気の冷気と暖気とが混ざり合うために冷却効率が低下してしまう。
【０００４】
このため、図１０，図１１に示すように、隣り合う列で対向するラック１０１間で、前面同士または背面同士を対向配置させることが望ましい（例えば、特許文献２参照。）。ところが、このような配置をデータセンタに適用しようとすると、ラックを再配置したり、この再配置のためにサーバを止めたりしなければならないので、手間と高いコストがかかることになる。そこで、ラックの背面にシート状のカバーを取り付けることが提案されている。
【０００５】
この方法によれば、ラックの背面にカバーを取り付けることにより、吸気口が設けられたラックの前面と排気口が設けられたラックの背面とが対向配置されたようなデータセンタであっても、空調機から供給される冷気と電子装置から排出される暖気とを分離することができるので、ラックを再配置したり、この再配置のためにサーバを止めたりしなくてもよい。
【先行技術文献】
【特許文献】
【０００６】
【特許文献１】特開２０１０−０３２１７４号公報
【特許文献２】特開２０１１−０６０３２６号公報
【発明の概要】
【発明が解決しようとする課題】
【０００７】
しかしながら、特許文献１に示すカバーでは、ラック背面からの排気の風圧が強いために、ラックとカバーの隙間、特にラック下方の隙間から排気が漏れ出すので、ラック上方に排気が流れず、空調機から供給される冷気と電子装置から排出される暖気とを完全に分離することができなかった。このため、電子装置を効果的に冷却することができず、電子装置を安定稼働させることが困難であった。
【０００８】
そこで、本願発明は、電子装置を安定稼働させることができるカバーおよび電子装置を提供することを目的とする。
【課題を解決するための手段】
【０００９】
上述したような課題を解決するために、本発明に係るカバーは、シート状の部材から構成され、排気口が設けられた筺状の電子装置の背面に設けられ、鉛直上方に開口を有するシート部材と、背面に設けられ、シート部材の鉛直下方側の端部を電子装置に密着させる第１の部材とを備えることを特徴とするものである。
【００１０】
また、本発明に係る電子装置は、排気口が背面に設けられた筺状の電子装置であって、シート状の部材から構成され、背面に設けられ、鉛直上方に開口を有するシート部材と、背面に設けられ、シート部材の鉛直下方側の端部を電子装置に密着させる第１の部材とを備えることを特徴とするものである。
【発明の効果】
【００１１】
本発明によれば、シート部材の鉛直下方側の端部を電子装置の背面に密着させる第１の部材を設けることにより、電子装置からの排気がカバーと電子装置の隙間から漏れることを防ぐことができるので、電子装置を効果的に冷却することができ、結果として、電子装置を安定稼働させることができる。
【図面の簡単な説明】
【００１２】
【図１】図１は、本発明の第１の実施の形態に係るカバーの構成を模式的に示す図である。
【図２】図２は、本発明の第２の実施の形態に係る電子装置の構成を模式的に示す図である。
【図３】図３は、カバーの分解図である。
【図４】図４は、接合部材の構成を模式的に示す斜視図である。
【図５】図５は、カバーの取付方法を説明するための側面図である。
【図６】図６は、カバーの取付方法を説明するための正面図である。
【図７】図７は、カバーの取付方法を説明するための側面図である。
【図８】図８は、従来のデータセンタを模式的に示す正面図である。
【図９】図９は、図８の要部側面図である。
【図１０】図１０は、従来のデータセンタを模式的に示す正面図である。
【図１１】図１１は、図１０の要部側面図である。
【発明を実施するための形態】
【００１３】
以下、図面を参照して、本発明の実施の形態について詳細に説明する。
【００１４】
［第１の実施の形態］
まず、本発明に係る第１の実施の形態について説明する。
【００１５】
図１に示すように、本実施の形態に係るカバー１は、シート状の部材から構成され、排気口５ａが設けられた筺状の電子装置５の背面に設けられ、鉛直上方に開口を有するシート部材２と、前記背面に設けられ、前記シート部材２の鉛直下方側の端部を前記電子装置５に密着させる第１の部材３とを備えることを特徴とするものである。
【００１６】
本実施の形態によれば、シート部材２の鉛直下方側の端部を電子装置５の背面に密着させる第１の部材３を設けることにより、電子装置５からの排気がカバー１と電子装置５の隙間から漏れることを防ぐことができるので、電子装置５を効果的に冷却することができ、結果として、電子装置５を安定稼働させることができる。
【００１７】
［第２の実施の形態］
次に、本発明に係る第２の実施の形態について説明する。
【００１８】
＜空調装置の構成＞
図２に示すように、本実施の形態に係る空調装置は、電子装置１０と、この電子装置１０に取り付けられた半円筒状のカバー２０とを備えている。
【００１９】
電子装置１０は、例えば、１９インチ標準ラックなどの公知のラックと、このラックに複数段組み込まれたサーバやルータなどの電子機器（図示せず）とから構成されている。この電子機器には、複数のファンが設けられている。このファンによって、冷却用の空気は、電子装置１０の前面１０ａから吸気され、背面１０ｂから排気される。
【００２０】
カバー２０は、図３に示すように、第１のシート部材２１と、第２のシート部材２２と、接合部材２３と、取付部材２４とから構成される。
【００２１】
第１のシート部材２１は、平面視略矩形のシート状に形成されている。第１のシート部材２１の両端側部には、ビス孔２１ａが形成されている。このような第１のシート部材２１は、電子装置１０の背面１０ｂにおける鉛直方向に沿った側部に、電子装置１０の排気口を挟むように固定される。このような第１のシート部材２１の材質としては、空気の透過量が少ないまたは空気を透過させず、容易に撓み、かつ、電子装置１０からの排熱により溶けない材料であるならば、例えば柔らかい布やビニールシートなど各種材料を適用することができる。
【００２２】
第２のシート部材２２は、平面視略半円形のシート状に形成されている。第２のシート部材２２の直径部分は、取付部材２４により、電子装置１０の背面における底部に固定される。このような第２のシート部材２２の材質としては、第１のシート部材２１と同等の材質が用いられる。
【００２３】
接合部材２３は、平面視略Ｃの字状に湾曲した断面矩形の棒状に形成されている。この湾曲した内周面は、第２のシート部材２２の半円形に対応している。接合部材２３の上面には、図４に示すように、第１のシート部材２１が挿入される第１の切り込み２３ａが形成されている。また、第２のシート部材２２の内周面には、第２のシート部材２２が挿入される第２の切り込み２３ｂが形成されている。このような接合部材２３は、第１のシート部材２１の下方側の長側部が第１の切り込み２３ａに、第２のシート部材２２の弧の部分が第２の切り込み２３ｂに挿入されることにより、第１のシート部材２１と第２のシート部材２２とを接合する。このような接合部材２３の材質としては、耐熱性および空気の不透過性を有する材料から構成される。本実施の形態においては、発泡ポリエチレンから構成される。
【００２４】
取付部材２４は、平面視略矩形の板状に形成されている。この取付部２４には、延在方向に沿ってビス孔２４ａが形成されている。このような取付部材２４は、電子装置１０の背面１０ａの底部に、この底部とともに第２のシート部材２２を挟んだ状態で固定される。このような取付部材２４は、耐熱性および空気の不透過性を有する材料から構成される。本実施の形態においては、ポリカーボネートから構成される。
【００２５】
［カバーの取付方法］
次に、電子装置１０へのカバー２０の取付方法について説明する。
【００２６】
まず、図５に示すように、ビス孔２１ａを介してビス３０により第１のシート部材２１を電子装置１０に固定する。具体的には、電子装置１０の背面１０ｂに第１のシート部材２１の両長側部を固定する。
【００２７】
また、図６に示すように、電子装置１０の背面１０ｂの底部に第２のシート部材２２の直径部分を配置し、この直径部分上に取付部材２４を置いた後、この取付部材２４をビス孔２４ａを介してビス３１により電子装置１０に固定する。これにより、第２のシート部材２２は、電子装置１０の背面１０ｂと取付部材２４とにより挟まれた状態で固定されることとなる。
なお、この第２のシート部材２２の固定は、第１のシート部材２１の固定よりも前に行うようにしてもよい。
【００２８】
次に、図７に示すように、接合部材２３により、第１のシート部材２１と第２のシート部材２２とを接合する。具体的には、第１のシート部材２１の下方側の長側部を第１の切り込み２３ａ、第２のシート部材２２の弧の部分を第２の切り込み２３ｂに挿入する。すると、第１のシート部材２１が第１の切り込み２３ａに、第２のシート部材２２が第２の切り込み２３ｂに挟着されるので、第１のシート部材２１と第２のシート部材２２とが接合部材２３により固定されることとなる。
【００２９】
このとき、第１の切り込み２３ａおよび第２の切り込み２３ｂに、接着剤を塗布しておくようにしてもよい。これにより、第１のシート部材２１と第２のシート部材２２とを接合部材２３により強固に固定することができる。なお、接着剤は、第１の切り込み２３ａおよび第２の切り込み２３ｂの代わりに、第１のシート部材２１および第２のシート部材に塗布するようにしてもよい。
【００３０】
以上の工程により、カバー２０が電子装置１０に取付られることとなる。このカバー２０が取り付けられた電子装置１０において、電子装置１０に収容された電子機器を冷却して暖まった空気は、電子装置１０の背面１０ｂからカバー２０に向かって排気される。このとき、カバー２０の底部における第１のシート部材２１と第２のシート部材２２とは、接合部材２３により密着して固定されている。また、第２のシート部材２２は、取付部２４により、背面１０ｂに密着して固定されている。したがって、排気は、カバー２０から漏れ出さずに、カバー２０の内面に沿って上昇し、開口部からデータセンタの天井に向かって排出されることとなる。
【００３１】
以上説明したように、本実施の形態によれば、取付部材２４を設けることにより、電子装置１０からの排気がカバー２０と電子装置１０の隙間から漏れることを防ぐことができるので、電子装置１０を効果的に冷却することができ、結果として、電子装置１０を安定稼働させることができる。
【００３２】
特に、本実施の形態では、第２のシート部材２２が取付部材２４により背面１０ｂに密着して固定されているので、取付部２４近傍から排気が漏れることを防ぐことができる。
【００３３】
また、本実施の形態によれば、第１のシート部材２１と第２のシート部材２２とを接合する接合部材２３を設けることにより、電子装置１０からの排気がカバー２０と電子装置１０の隙間から漏れることを防ぐことができるので、電子装置１０を効果的に冷却することができ、結果として、電子装置１０を安定稼働させることができる。
【００３４】
また、本実施の形態では、接合部材２３が発泡ポリエチレンから構成されている。これにより、接合部材２３が柔軟に変形できるので、第１のシート部材２１と第２のシート部材２２の形状にかかわらずそれらを接合することが可能となるので、各種形状の電子装置にカバー２０を取り付けることができる。
【００３５】
また、本実施の形態では、シート状の第１のシート部材２１および第２のシート部材２２を電子装置１０に取り付けた後、それらを柔軟性のある接合部材２３で接合することによりカバー２０が取り付けることができるので、電子装置１０の規格にかかわらずカバー２０を取り付けることができる。また、この取付において、高度な技術を必要とせずに、容易に設置することができる。特に、第２のシート部材２２については、取付部材２４により、容易に電子装置１０に密着させることができる。
【００３６】
なお、本実施の形態では、カバー２０が半円筒状に形成される場合を例に説明したが、その形状は半円筒状に限定されず、適宜自由に設定することができる。例えば、四角筒型とするようにしてもよい。また、第２のシート部材２２を巾着型にするようにしてもよい。
【００３７】
上記実施形態の一部又は全部は、以下の付記のようにも記載されうるが、以下には限られない。
【００３８】
（付記１）
シート部材は、平面視略矩形のシート状に形成され、排気口が設けられた筺状の電子装置の背面に排気口を挟むように両短側部が取り付けられた第１のシート部材と、シート状に形成され、縁部の一部が、電子装置に取り付けられた第１のシート部材の一方の長側部と背面により形成される開口近傍における背面に取り付けられた第２のシート部材とから構成され、第１の部材は、第２のシート部材の縁部の一部を電子装置の背面に挟着し、第１のシート部材の一方の長側部と、第２のシート部材の縁部の一部を除く部分とを接合する第２の部材をさらに備えるようにしてもよい。
【００３９】
（付記２）
接合部材は、発泡ポリエチレンから構成されるようにしてもよい。
【産業上の利用可能性】
【００４０】
本発明は、ファン等により取り込んだ冷気により内部の機器を冷却する電子装置などに適用することができる。
【符号の説明】
【００４１】
１…カバー、２…シート部材、３…第１の部材、５…電子装置、５ａ…排気口、１０…電子装置、１０ａ…前面、１０ｂ…背面、２０…カバー、２１…第１のシート部材、２１ａ…ビス孔、２２…第２のシート部材、２３…接合部材、２３ａ…第１の切り込み、２３ｂ…第２の切り込み、２４…取付部材、２４ａ…ビス孔、３０，３１…ビス。
【図１】
2014067152.tif 000003
【図２】
2014067152.tif 000004
【図３】
2014067152.tif 000005
【図４】
2014067152.tif 000006
【図５】
2014067152.tif 000007
【図６】
2014067152.tif 000008
【図７】
2014067152.tif 000009
【図８】
2014067152.tif 000010
【図９】
2014067152.tif 000011
【図１０】
2014067152.tif 000012
【図１１】
2014067152.tif 000013